(57)【要約】【課題】汚物を廃棄する際の作業性に優れる汚物入れを提供する。【解決手段】本発明に係る汚物入れ１は、上部が開口した有底枠体で、背面側に壁に引っ掛けるための係合部１１を有する本体部３と、本体部３の開口を覆うカバー体７とを有し、本体部３の開口縁部には、本体部３に収納する袋体を引っ掛けて保持する保持部２３が形成されており、保持部２３は、開口縁部の両側に設けられ上方に突出する突出片部２５と、突出片部２５の背面側の基端に形成されて下方に延びる押込み溝２７とを備えてなり、カバー体７は、上面に汚物を投入するための投入口２９を有すると共に、本体部３に回動可能に設けられて、閉止状態で本体部３の開口縁部の少なくとも突出片部２５と前辺部を覆うように構成されていることを特徴とするものである。【選択図】  図１
2017007756.tif 000002
【特許請求の範囲】
【請求項１】
上部が開口した有底枠体で、背面側に壁に引っ掛けるための係合部を有する本体部と、該本体部の前記開口を覆うカバー体とを有し、
前記本体部の開口縁部には、該本体部に収納する袋体を引っ掛けて保持する保持部が形成されており、該保持部は、開口縁部の両側に設けられ上方に突出する突出片部と、該突出片部の背面側の基端に形成されて下方に延びる押込み溝とを備えてなり、
前記カバー体は、上面に汚物を投入するための投入口を有すると共に、前記本体部に回動可能に設けられて、閉止状態で前記本体部の開口縁部の少なくとも前記突出片部と前辺部を覆うように構成されていることを特徴とする汚物入れ。
【請求項２】
前記カバー体を前記本体部に回動可能に保持する回動部が、前記本体部の側面における前面寄りに設けられていることを特徴とする請求項１記載の汚物入れ。
【請求項３】
前記カバー体は、前記平面視したときに前記投入口が背面側寄りに設けられ、該投入口よりも前面側が上に凸の上凸湾曲面部となっており、該上凸湾曲面部が前記投入口を見えにくくする遮蔽壁として機能していることを特徴とする請求項１又は２に記載の汚物入れ。
【請求項４】
前記カバー体は、前記投入口に開閉自在の蓋体を有していることを特徴とする請求項１又は２に記載の汚物入れ。
【発明の詳細な説明】
【技術分野】
【０００１】
本発明は、例えばトイレの壁に掛けて用いる汚物入れに関する。
本明細書において、方向を表す、前面、背面、前方という表記は、汚物入れを壁面に設置した状態を基準として表現しており、汚物入れの壁面側が背面を意味し、その反対側が前面、前方を意味している。
【背景技術】
【０００２】
トイレ内に載置し、又はトイレ内の壁に掛けて用いられる汚物入れとしては種々の形態のものが提案されている。
例えば、特許文献１の「汚物入れポリ袋収納装置」は、筺体側面の開口部に扉を設け、扉内面上部前方と筺体内面上部前方に、汚物入れポリ袋の投入口周縁部の一部を懸垂する保持具をそれぞれ設け、扉の開閉に伴い汚物入れポリ袋の投入口も筺体側面の開口部に引き出され開閉若しくは、その筺体内に収納されることを特徴とするものである（実用新案登録請求の範囲参照）。
【０００３】
上記の「汚物入れポリ袋収納装置」におけるポリ袋の装着方法について特許文献１には以下のように記載されている。
ポリ袋投入周縁部を両手指先で、保持具８の長さに見合う長さに持ち、外側に折り曲げながら保持具８の背面に沿わせてその底部まで挿入する。この時、スプリング７はポリ袋周縁部を無理なく導入し、装着後はポリ袋周縁部が外れない様に抑える機能を持っている。
保持具８に差し込まれたポリ袋投入口周縁部は、保持具８を包み込んだ形で二枚重ねとなるが、この二重になった部分に両手指を沿えて軽くしごきながら手前に引き、残されポリ袋投入口周縁部を保持具６の背面に挿入する。
【０００４】
また、他の例として特許文献２の「汚物入れ」は、上部が開口した箱体からなるものであって、上縁の投入口が開放形態とされる一方、使用者に向かって前面側の壁部が上方に延長され、該延長部を以て容器内部を隠蔽する隠蔽部と成されたことを特徴するとするものである（実用新案登録請求の範囲参照）。
また、特許文献２に開示のものは、汚物収納袋を使用する場合に、箱体内にインナーボックスを入れて、このインナーボックスに汚物収納袋を設置するとしている。
【先行技術文献】
【特許文献】
【０００５】
【特許文献１】実開昭58-173606号公報
【特許文献２】実開平3-7797号公報
【発明の概要】
【発明が解決しようとする課題】
【０００６】
特許文献１におけるポリ袋の装着作業は上述の通りであり、ポリ袋を設置したり、取り外したりする作業が煩雑であるため、汚物の廃棄時の作業性が悪いという問題がある。
【０００７】
また、特許文献２に開示のものは、箱体内にインナーボックスを入れて、このインナーボックスに汚物収納袋を設置するため、汚物を捨てる際には、汚物収納袋をインナーボックスと共に取り出し、新しい汚物収納袋をインナーボックスに装着し、それを箱体内に収納するという作業となり、特許文献１と同様に、作業性が悪いという問題がある。
【０００８】
本発明はかかる課題を解決するためになされたものであり、汚物を廃棄する際の作業性に優れる汚物入れを提供することを目的としている。
【課題を解決するための手段】
【０００９】
（１）本発明に係る汚物入れは、上部が開口した有底枠体で、背面側に壁に引っ掛けるための係合部を有する本体部と、該本体部の前記開口を覆うカバー体とを有し、前記本体部の開口縁部には、該本体部に収納する袋体を引っ掛けて保持する保持部が形成されており、該保持部は、開口縁部の両側に設けられ上方に突出する突出片部と、該突出片部の背面側の基端に形成されて下方に延びる押込み溝とを備えてなり、前記カバー体は、上面に汚物を投入するための投入口を有すると共に、前記本体部に回動可能に設けられて、閉止状態で前記本体部の開口縁部の少なくとも前記突出片部と前辺部を覆うように構成されていることを特徴とするものである。
【００１０】
（２）また、上記（１）に記載のものにおいて、前記カバー体を前記本体部に回動可能に保持する回動部が、前記本体部の側面における前面寄りに設けられていることを特徴とするものである。
【００１１】
（３）また、上記（１）又は（２）に記載のものにおいて、前記カバー体は、平面視したときに前記投入口が背面側寄りに設けられ、該投入口よりも前面側が上に凸の上凸湾曲面部となっており、該上凸湾曲面部が前記投入口を見えにくくする遮蔽壁として機能していることを特徴とするものである。
【００１２】
（４）また、上記（１）又は（２）に記載のものにおいて、前記カバー体は、前記投入口に開閉自在の蓋体を有していることを特徴とするものである。
【発明の効果】
【００１３】
本発明に係る汚物入れは、上部が開口した有底枠体で、背面側に壁に引っ掛けるための係合部を有する本体部と、該本体部の開口を覆うカバー体とを有し、前記本体部の開口縁部には、該本体部に収納する袋体を引っ掛けて保持する保持部が形成されており、該保持部は、開口縁部の両側に設けられ上方に突出する突出片部と、該突出片部の背面側の基端に形成されて下方に延びる押込み溝とを備えてなり、前記カバー体は、上面に汚物を投入するための投入口を有すると共に、前記本体部に回動可能に設けられて、閉止状態で前記本体部の開口縁部の少なくとも前記突出片部と前辺部を覆うように構成されていることから、汚物収納袋を本体部内にインナーボックスを使用することなく装着することができ、かつその装着に際しては、汚物収納袋の口を手指で広げてその背面側を押込み溝に押し込むと共にその側辺を保持片部に引っ掛けるだけでよく、また、汚物を廃棄する際には、カバー体を開放し、装着されている汚物収納袋の開口部を持って引き上げるだけでよく、汚物収納袋の装着及び汚物の廃棄を極めて作業性よく行うことができる。
また、カバー体が本体部の開口を覆っており、使用状態では汚物収納袋の装着部が見えないので、見栄えもよい。
【図面の簡単な説明】
【００１４】
【図１】本発明の一実施の形態に係る汚物入れを正面側から見た斜視図である。
【図２】本発明の一実施の形態に係る汚物入れを背面側から見た斜視図である。
【図３】本発明の一実施の形態に係る汚物入れを背面の斜め下方向から見た斜視図である。
【図４】本発明の一実施の形態に係る汚物入れを壁面に取り付ける際の取付け部品の説明図である。
【図５】図１に示した汚物入れのカバー体を開けた状態の斜視図である。
【図６】本発明の一実施の形態に係る汚物入れの側面図である。
【図７】本発明の一実施の形態に係る汚物入れのカバー体の回動部の説明図である（その１）。
【図８】本発明の一実施の形態に係る汚物入れのカバー体の回動部の説明図である（その２）。
【図９】本発明の一実施の形態に係る汚物入れの使用方法の説明図である（その１）。
【図１０】本発明の一実施の形態に係る汚物入れの使用方法の説明図である（その２）。
【図１１】本発明の他の実施の形態に係る汚物入れの正面側から見た斜視図である。
【図１２】図１１に示した汚物入れの蓋を開けた状態の斜視図である。
【発明を実施するための形態】
【００１５】
［実施の形態１］
本実施の形態に係る汚物入れ１は、図１〜図３、図５に示すように、上部が開口した有底枠体の本体部３と、本体部３に回動部５によって回動可能に取り付けられて本体部３の開口を覆うカバー体７とを有している。
本体部３及びカバー体７を詳細に説明する。
【００１６】
＜本体部＞
本体部３は、矩形状の有底枠体からなる。本体部３の背面側には、壁面に取り付けられた取付け部品９（図２、図４参照）に引っ掛けるための係合部１１が設けられている。
係合部１１は、図２、図３に示すように、本体部３の背面の下部から上部に延びる溝状部１３に設けられた第１係合部１５と、第２係合部１７からなる。溝状部１３は下辺が幅広の台形状をしている。第１係合部１５は、溝状部１３の幅方向に延びる隙間からなり、第２係合部１７は第１係合部１５よりも上方で、かつ第１係合部１５よりも本体部３の背面に近い位置に設けられた隙間からなる。
【００１７】
取付け部品９は、図４に示すように、第１係止片１９と第２係止片２１が上下２段に設けられ、全体形状が略矩形状の部品である。下側の第１係止片１９は前方への突出長さが上側の第２係止片２１よりも長くなっており、第１係止片１９の壁面からの出っ張りが第２係止片２１よりも大きくなるようになっている。これは、本体部３の第１係合部１５と第２係合部１７の配置関係に対応させるためである。
また、第１係止片１９及び第２係止片２１ともに、下辺が上辺よりも長い台形状になっている。
壁面に取付け部品９をネジ等で取り付けた状態で、第１係止片１９を本体部３の第１係合部１５に、第２係止片２１を本体部３の第２係合部１７にそれぞれ挿入することで、本体部３を取付け部品９に保持させる。
【００１８】
なお、係合部１１を２段にすることで、本体部３を壁面に設置したときに、安定して設置することができる。
第１係止片１９及び第２係止片２１が台形状になっていることで、本体部３の第１係合部１５及び第２係合部１７の挿入が容易になっている。
【００１９】
本体部３の開口縁部には、本体部３に収納する汚物収納袋を引っ掛けて保持する保持部２３が形成されている。
保持部２３は、図５に示すように、開口縁部の両側に設けられ上方に突出する突出片部２５と、突出片部２５の背面側の基端に形成されて下方に延びる押込み溝２７とを備えてなる。
保持部２３の機能については、後述の使用方法の説明で説明する。
【００２０】
＜カバー体＞
カバー体７は、上面に汚物を投入するための投入口２９を有すると共に、本体部３に回動可能に本体部３に設けられて、閉止状態で本体部３の開口縁部の少なくとも突出片部２５と前辺部を覆うように構成されている。
このようなカバー体７は、本体部３の両側を挟むように配置される側壁部３１と、側壁部３１の上端に両側壁部３１に亘るように形成された上面部３３と、側壁部３１の前面側に両側壁に亘るように形成された前壁部３５を備えている。
上面部３３は、前側の約半分の部分が上に凸の上凸湾曲面部３３ａとなり、後側の約半分の部分が下に凸の下凸湾曲面部３３ｂとなっている。そして、後側に設けられた下凸湾曲面部３３ｂに投入口２９が設けられている。
【００２１】
その結果、投入口２９は、平面視したときにカバー体７の背面側寄りに設けられ、投入口２９よりも前面側が上凸湾曲面部３３ａとなっている（図６参照）。
このように、カバー体７の上面の、前側を上凸湾曲面部３３ａとし、後方を下凸湾曲面部３３ｂとすると共に、下凸湾曲面部３３ｂに投入口２９を設けることによって、前方の上凸湾曲面部３３ａが投入口２９を前側から見えにくくする遮蔽壁として機能する。これにより、本体部３に収納された汚物が投入口２９から見えるのを防止し、使用者に不快感を与えないようになっている。
【００２２】
カバー体７を回動可能に本体部３に保持する回動部５は、本体部３の側面における前面寄りに設けられている。
回動部５は、図７に示すように、側壁部３１の内面側に突出するように設けられた回動軸部３７と、本体部３の側壁にリング状に設けられたリング凸部３９によって構成されている。
回動軸部３７をリング凸部３９の内側の窪みに挿入することで、カバー体７の回動が可能となっている。
【００２３】
また、回動部５の近傍には、カバー体７の閉止状態と開放状態の位置を規制する位置規制部４１が設けられている。
位置規制部４１は、図８に示すように、側壁部３１の内面側に設けられた凸部４３と、本体部３の側面に設けられた湾曲ガイド部４５で構成されている。湾曲ガイド部４５の下端側には、係止部４７が設けられている。
係止部４７は、図７の拡大図に示すように、外側から内側に向けて盛り上がるなだらかな傾斜面とその中央に形成された凹みによって構成されている。
【００２４】
カバー体７は、回動軸を中心として回動し、その際、凸部４３が湾曲ガイド部４５にガイドされながら湾曲ガイド部４５を移動する。
カバー体７を閉止するときに、凸部４３が係止部４７の傾斜面を乗り越えて凹みに挿入されて係止し、これによってカバー体７が簡単に開放するのを防止している。
また、カバー体７を最も開放した状態では、凸部４３が湾曲ガイド部４５の上端に当接することで、カバー体７がそれ以上回動しないようにカバー体７の移動を規制している。
【００２５】
回動軸部３７が、本体部３の側面における前面寄りに設けられていることで、回動軸を背面寄りに設ける場合よりもカバー体７をコンパクトにすることができる。また、コンパクトでありながら本体部３の保持片と干渉し難くなっている。
【００２６】
次に、上記のように構成された本実施の形態の汚物入れ１の動作について説明する。
例えば、汚物収納袋としてスーパーマーケットなどで購入品を入れるために用いられるいわゆるレジ袋４９を使用する場合、図９に示すように、レジ袋４９の持ち手５１を突出片部２５に掛けるようにしてレジ袋４９自体は本体部３内に収納する。このとき、押込み溝２７が設けられているので、レジ袋４９の持ち手５１における背面側の部分は押込み溝２７に挿入され、本体部３の背面側に飛び出すことがない。このため、本体部３を壁面に取り付ける際にレジ袋４９の持ち手５１の一部が本体部３の背面よりも飛び出るという問題がない。
【００２７】
また、レジ袋４９の持ち手５１を突出片部２５に引っ掛けるだけなので、極めて簡単にレジ袋４９を本体部３にセットすることができる。
また、汚物が入ったレジ袋４９を捨てる場合にも、レジ袋４９の持ち手５１を持って、レジ袋４９を本体部３から引き出すだけでよく、極めて簡単な操作でよい。
【００２８】
また、汚物収納袋として専用の例えばサニタリー用袋５３を用いる場合、図１０に示すように、サニタリー用袋５３の口を広げて、サニタリー用袋５３の背面側の辺部の両端を押込み溝２７に押込み、他の辺部を本体部３の両側の突出片部２５と前辺部に被せるようにすればよい。
また、汚物が入ったサニタリー用袋５３を捨てる場合、突出片部２５の外面側に垂れ下がった部分（図１０参照）を手で持ってサニタリー用袋５３を本体部３から引き出すようにすればよい。
【００２９】
汚物収納袋をセットした後は、カバー体７を閉じることで、本体部３にセットされた汚物収納袋は外から見えず見栄えがよい。
また、カバー体７を閉じる際に、本体部３にセットされた汚物収納袋とカバー体７との干渉が考えられるが、本実施の形態では、カバー体７の回動部５が本体部３の側面の前寄りに設けられているので、干渉しにくいという効果が得られている。
【００３０】
［実施の形態２］
本実施の形態に係る汚物入れ５５を図１１、図１２に基づいて説明する。なお、図１１、図１２において実施の形態１を示した図１と同一部分には同一の符号を付してある。
【００３１】
本実施の形態の汚物入れ５５は、図１１、図１２に示すように、カバー体５７の上面部５９の形状がほぼ平坦面となっており、この平坦面のほぼ全面に投入口２９が設けられ、この投入口２９には開閉自在の蓋体６１が設けられている。
蓋体６１によって投入口２９が覆われており、内部が見えないようになっている。そため、投入口２９は実施の形態１よりも大きくなっている。
他の構成、すなわち本体部３、本体部３の保持部２３、カバー体５７の回動部５の構成は実施の形態１と同様である。
【００３２】
本実施の形態によれば、実施の形態１と同様の効果に加えて、蓋体６１を設けたことにより内部が見えず、使用者に不快感を与えないと言う効果を確実に奏することができる。
【符号の説明】
【００３３】
１  汚物入れ（実施の形態１）
３  本体部
５  回動部
７  カバー体
９  取付け部品
１１  係合部
１３  溝状部
１５  第１係合部
１７  第２係合部
１９  第１係止片
２１  第２係止片
２３  保持部
２５  突出片部
２７  押込み溝
２９  投入口
３１  側壁部
３３  上面部
３３ａ  上凸湾曲面部
３３ｂ  下凸湾曲面部
３５  前壁部
３７  回動軸部
３９  リング凸部
４１  位置規制部
４３  凸部
４５  湾曲ガイド部
４７  係止部
４９  レジ袋
５１  持ち手
５３  サニタリー用袋
５５  汚物入れ（実施の形態２）
５７  カバー体
５９  上面部
６１  蓋体
【図１】
2017007756.tif 000003
【図２】
2017007756.tif 000004
【図３】
2017007756.tif 000005
【図４】
2017007756.tif 000006
【図５】
2017007756.tif 000007
【図６】
2017007756.tif 000008
【図７】
2017007756.tif 000009
【図８】
2017007756.tif 000010
【図１１】
2017007756.tif 000011
【図１２】
2017007756.tif 000012
【図９】
2017007756.tif 000013
【図１０】
2017007756.tif 000014